【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
所定の払い出し条件が成立したことに基づいて所定数の賞球を払い出すことが可能な払出手段と、
遊技球が入球したことに基づいて前記払出手段により予め定められた特定数の賞球が払い出される特典入球手段と、
その特典入球手段へと遊技球が入球可能となる第１位置と、その第１位置よりも遊技球が入球困難となる第２位置と、に可変可能な可変手段と、
第１の判別条件の成立に基づいて判別を実行する第１判別手段と、
前記第１の判別条件とは異なる第２の判別条件の成立に基づいて判別を実行する第２判別手段と、
第１方向へと発射された遊技球が入球可能な位置であって前記第１方向とは異なる第２方向へと発射された遊技球が入球困難な位置に設けられている入球手段と、
その入球手段へと遊技球が入球したことに基づいて、前記第２判別手段の判別に用いるための判別情報を取得可能な判別情報取得手段と、
その判別情報取得手段によって取得された前記判別情報を、予め定められた特定の数を上限として、前記第２判別手段の判別に用いられるまで記憶可能な判別情報記憶手段と、
前記第１判別手段の判別が実行されたことに基づいて、前記第１判別手段の判別結果を示すための識別情報として第１識別情報を動的表示させ、前記第２判別手段の判別が実行されたことに基づいて、前記第２判別手段の判別結果を示すための前記識別情報として第２識別情報を動的表示させる動的表示手段と、
その動的表示手段による前記識別情報の動的表示における動的表示期間を決定する動的表示期間決定手段と、
前記第２判別手段の判別結果が予め定められた第１の判別結果となったことに基づいて、当該第１の判別結果を示すための前記第２識別情報の動的表示が開始されてから前記第２判別手段による新たな判別が実行可能となるまでの間の期間である第１期間の間の前記可変手段の可変態様が第１可変態様となるように制御する第１可変制御手段と、
前記第１判別手段の判別結果と前記第２判別手段の判別結果とのうちいずれかが前記第１の判別結果とは異なる第２の判別結果となったことに基づいて、当該第２の判別結果に対応する判別が実行された時点における遊技状態とは異なる遊技状態を設定可能な遊技状態設定手段と、
前記第１判別手段の判別結果と前記第２判別手段の判別結果とのうちいずれかが前記第２の判別結果となったことに基づいて、遊技者に有利な特典遊技を実行する特典遊技実行手段と、
前記第２判別手段の判別結果が前記第２の判別結果となったことに基づいて、前記第１可変態様と区別し難い見た目となる特定可変態様が少なくとも含まれる第２可変態様で、前記可変手段を制御する第２可変制御手段と、
前記判別情報記憶手段に対して前記特定の数の前記第１の判別結果に対応する前記判別情報が記憶されている状況において、前記特定の数の前記判別情報のうち最初の前記判別情報に対応する前記第２識別情報の動的表示が開始されてから、前記最初の前記判別情報に対応する前記第２識別情報の動的表示の開始時点で前記判別情報記憶手段に記憶されていた前記判別情報の中で最後に判別に用いられる前記判別情報に対応する判別結果が示されるまでの所定の前記第１期間の間の前記可変手段の可変態様を、前記第２可変態様の一部と区別し難い見た目とする手段と、
所定の遊技状態において前記判別情報記憶手段に対して前記特定の数の前記第１の判別結果に対応する前記判別情報が記憶された場合に、前記特定の数の前記判別情報のうち最初の前記判別情報に対応する前記第２識別情報の動的表示が開始されてから、前記最初の前記判別情報に対応する前記第２識別情報の動的表示の開始時点で前記判別情報記憶手段に記憶されていた前記判別情報の中で最後に判別に用いられる前記判別情報に対応する判別結果が示されるまでの所定の前記第１期間の間の演出として、第１演出を実行する手段と、
前記所定の遊技状態において前記第２判別手段の判別結果が前記第２の判別結果となったことに基づいて前記可変手段が前記第２可変態様で可変されている間の演出として、前記第１演出によって示唆される遊技と同一の遊技を示唆可能な特定演出態様を少なくとも含んで構成される第２演出を実行する手段と、
前記判別情報記憶手段に前記判別情報が記憶されている場合に、当該記憶されている前記判別情報を用いた判別で前記第１の判別結果となる可能性を遊技者に示唆可能な演出を、前記判別情報が前記第２判別手段の判別に用いられるよりも前に実行可能な手段と、を備え、
前記第２判別手段の判別結果が前記第１の判別結果となる確率は、前記第１の判別結果以外の判別結果となる確率よりも高く設定されており、
前記第１判別手段の判別結果が前記第２の判別結果となったことに基づいて実行される前記特典遊技の種別として、前記第１方向へと遊技球を発射し続けるよりも、前記第２方向へと遊技球を発射し続けた方が前記払出手段によって払い出される賞球の数が多くなり易い第１特典遊技と、前記第１方向へと遊技球を発射し続けることで、前記第１特典遊技において前記第１方向へと遊技球を発射し続けた場合よりも前記払出手段によって払い出される賞球の数が多くなり易い第２特典遊技と、が少なくとも設けられていることを特徴とする遊技機。
【請求項２】
遊技球を発射可能な発射手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて行われる抽選の結果が当たりだった場合に、当たり状態へと移行するものがある。かかる遊技機の中には、例えば、ラウンド数の異なる複数種類の当たり種別が設けられているものがあり、獲得できる遊技価値を異ならせることにより、興趣向上を図っているものがある。
【手続補正３】
【補正対象書類名】明細書
【補正対象項目名】０００４
【補正方法】変更
【補正の内容】
【０００４】
しかしながら、更なる興趣向上が求められていた。
【手続補正４】
【補正対象書類名】明細書
【補正対象項目名】０００６
【補正方法】変更
【補正の内容】
【０００６】
この目的を達成するために請求項１記載の遊技機は、所定の払い出し条件が成立したことに基づいて所定数の賞球を払い出すことが可能な払出手段と、遊技球が入球したことに基づいて前記払出手段により予め定められた特定数の賞球が払い出される特典入球手段と、その特典入球手段へと遊技球が入球可能となる第１位置と、その第１位置よりも遊技球が入球困難となる第２位置と、に可変可能な可変手段と、第１の判別条件の成立に基づいて判別を実行する第１判別手段と、前記第１の判別条件とは異なる第２の判別条件の成立に基づいて判別を実行する第２判別手段と、第１方向へと発射された遊技球が入球可能な位置であって前記第１方向とは異なる第２方向へと発射された遊技球が入球困難な位置に設けられている入球手段と、その入球手段へと遊技球が入球したことに基づいて、前記第２判別手段の判別に用いるための判別情報を取得可能な判別情報取得手段と、その判別情報取得手段によって取得された前記判別情報を、予め定められた特定の数を上限として、前記第２判別手段の判別に用いられるまで記憶可能な判別情報記憶手段と、前記第１判別手段の判別が実行されたことに基づいて、前記第１判別手段の判別結果を示すための識別情報として第１識別情報を動的表示させ、前記第２判別手段の判別が実行されたことに基づいて、前記第２判別手段の判別結果を示すための前記識別情報として第２識別情報を動的表示させる動的表示手段と、その動的表示手段による前記識別情報の動的表示における動的表示期間を決定する動的表示期間決定手段と、前記第２判別手段の判別結果が予め定められた第１の判別結果となったことに基づいて、当該第１の判別結果を示すための前記第２識別情報の動的表示が開始されてから前記第２判別手段による新たな判別が実行可能となるまでの間の期間である第１期間の間の前記可変手段の可変態様が第１可変態様となるように制御する第１可変制御手段と、前記第１判別手段の判別結果と前記第２判別手段の判別結果とのうちいずれかが前記第１の判別結果とは異なる第２の判別結果となったことに基づいて、当該第２の判別結果に対応する判別が実行された時点における遊技状態とは異なる遊技状態を設定可能な遊技状態設定手段と、前記第１判別手段の判別結果と前記第２判別手段の判別結果とのうちいずれかが前記第２の判別結果となったことに基づいて、遊技者に有利な特典遊技を実行する特典遊技実行手段と、前記第２判別手段の判別結果が前記第２の判別結果となったことに基づいて、前記第１可変態様と区別し難い見た目となる特定可変態様が少なくとも含まれる第２可変態様で、前記可変手段を制御する第２可変制御手段と、前記判別情報記憶手段に対して前記特定の数の前記第１の判別結果に対応する前記判別情報が記憶されている状況において、前記特定の数の前記判別情報のうち最初の前記判別情報に対応する前記第２識別情報の動的表示が開始されてから、前記最初の前記判別情報に対応する前記第２識別情報の動的表示の開始時点で前記判別情報記憶手段に記憶されていた前記判別情報の中で最後に判別に用いられる前記判別情報に対応する判別結果が示されるまでの所定の前記第１期間の間の前記可変手段の可変態様を、前記第２可変態様の一部と区別し難い見た目とする手段と、所定の遊技状態において前記判別情報記憶手段に対して前記特定の数の前記第１の判別結果に対応する前記判別情報が記憶された場合に、前記特定の数の前記判別情報のうち最初の前記判別情報に対応する前記第２識別情報の動的表示が開始されてから、前記最初の前記判別情報に対応する前記第２識別情報の動的表示の開始時点で前記判別情報記憶手段に記憶されていた前記判別情報の中で最後に判別に用いられる前記判別情報に対応する判別結果が示されるまでの所定の前記第１期間の間の演出として、第１演出を実行する手段と、前記所定の遊技状態において前記第２判別手段の判別結果が前記第２の判別結果となったことに基づいて前記可変手段が前記第２可変態様で可変されている間の演出として、前記第１演出によって示唆される遊技と同一の遊技を示唆可能な特定演出態様を少なくとも含んで構成される第２演出を実行する手段と、前記判別情報記憶手段に前記判別情報が記憶されている場合に、当該記憶されている前記判別情報を用いた判別で前記第１の判別結果となる可能性を遊技者に示唆可能な演出を、前記判別情報が前記第２判別手段の判別に用いられるよりも前に実行可能な手段と、を備え、前記第２判別手段の判別結果が前記第１の判別結果となる確率は、前記第１の判別結果以外の判別結果となる確率よりも高く設定されており、前記第１判別手段の判別結果が前記第２の判別結果となったことに基づいて実行される前記特典遊技の種別として、前記第１方向へと遊技球を発射し続けるよりも、前記第２方向へと遊技球を発射し続けた方が前記払出手段によって払い出される賞球の数が多くなり易い第１特典遊技と、前記第１方向へと遊技球を発射し続けることで、前記第１特典遊技において前記第１方向へと遊技球を発射し続けた場合よりも前記払出手段によって払い出される賞球の数が多くなり易い第２特典遊技と、が少なくとも設けられている。
【手続補正５】
【補正対象書類名】明細書
【補正対象項目名】０００７
【補正方法】変更
【補正の内容】
【０００７】
請求項２記載の遊技機は、請求項１記載の遊技機において、遊技球を発射可能な発射手段を備える。
【手続補正６】
【補正対象書類名】明細書
【補正対象項目名】００１２
【補正方法】変更
【補正の内容】
【００１２】
本発明の遊技機によれば、所定の払い出し条件が成立したことに基づいて所定数の賞球を払い出すことが可能な払出手段と、遊技球が入球したことに基づいて前記払出手段により予め定められた特定数の賞球が払い出される特典入球手段と、その特典入球手段へと遊技球が入球可能となる第１位置と、その第１位置よりも遊技球が入球困難となる第２位置と、に可変可能な可変手段と、第１の判別条件の成立に基づいて判別を実行する第１判別手段と、前記第１の判別条件とは異なる第２の判別条件の成立に基づいて判別を実行する第２判別手段と、第１方向へと発射された遊技球が入球可能な位置であって前記第１方向とは異なる第２方向へと発射された遊技球が入球困難な位置に設けられている入球手段と、その入球手段へと遊技球が入球したことに基づいて、前記第２判別手段の判別に用いるための判別情報を取得可能な判別情報取得手段と、その判別情報取得手段によって取得された前記判別情報を、予め定められた特定の数を上限として、前記第２判別手段の判別に用いられるまで記憶可能な判別情報記憶手段と、前記第１判別手段の判別が実行されたことに基づいて、前記第１判別手段の判別結果を示すための識別情報として第１識別情報を動的表示させ、前記第２判別手段の判別が実行されたことに基づいて、前記第２判別手段の判別結果を示すための前記識別情報として第２識別情報を動的表示させる動的表示手段と、その動的表示手段による前記識別情報の動的表示における動的表示期間を決定する動的表示期間決定手段と、前記第２判別手段の判別結果が予め定められた第１の判別結果となったことに基づいて、当該第１の判別結果を示すための前記第２識別情報の動的表示が開始されてから前記第２判別手段による新たな判別が実行可能となるまでの間の期間である第１期間の間の前記可変手段の可変態様が第１可変態様となるように制御する第１可変制御手段と、前記第１判別手段の判別結果と前記第２判別手段の判別結果とのうちいずれかが前記第１の判別結果とは異なる第２の判別結果となったことに基づいて、当該第２の判別結果に対応する判別が実行された時点における遊技状態とは異なる遊技状態を設定可能な遊技状態設定手段と、前記第１判別手段の判別結果と前記第２判別手段の判別結果とのうちいずれかが前記第２の判別結果となったことに基づいて、遊技者に有利な特典遊技を実行する特典遊技実行手段と、前記第２判別手段の判別結果が前記第２の判別結果となったことに基づいて、前記第１可変態様と区別し難い見た目となる特定可変態様が少なくとも含まれる第２可変態様で、前記可変手段を制御する第２可変制御手段と、前記判別情報記憶手段に対して前記特定の数の前記第１の判別結果に対応する前記判別情報が記憶されている状況において、前記特定の数の前記判別情報のうち最初の前記判別情報に対応する前記第２識別情報の動的表示が開始されてから、前記最初の前記判別情報に対応する前記第２識別情報の動的表示の開始時点で前記判別情報記憶手段に記憶されていた前記判別情報の中で最後に判別に用いられる前記判別情報に対応する判別結果が示されるまでの所定の前記第１期間の間の前記可変手段の可変態様を、前記第２可変態様の一部と区別し難い見た目とする手段と、所定の遊技状態において前記判別情報記憶手段に対して前記特定の数の前記第１の判別結果に対応する前記判別情報が記憶された場合に、前記特定の数の前記判別情報のうち最初の前記判別情報に対応する前記第２識別情報の動的表示が開始されてから、前記最初の前記判別情報に対応する前記第２識別情報の動的表示の開始時点で前記判別情報記憶手段に記憶されていた前記判別情報の中で最後に判別に用いられる前記判別情報に対応する判別結果が示されるまでの所定の前記第１期間の間の演出として、第１演出を実行する手段と、前記所定の遊技状態において前記第２判別手段の判別結果が前記第２の判別結果となったことに基づいて前記可変手段が前記第２可変態様で可変されている間の演出として、前記第１演出によって示唆される遊技と同一の遊技を示唆可能な特定演出態様を少なくとも含んで構成される第２演出を実行する手段と、前記判別情報記憶手段に前記判別情報が記憶されている場合に、当該記憶されている前記判別情報を用いた判別で前記第１の判別結果となる可能性を遊技者に示唆可能な演出を、前記判別情報が前記第２判別手段の判別に用いられるよりも前に実行可能な手段と、を備え、前記第２判別手段の判別結果が前記第１の判別結果となる確率は、前記第１の判別結果以外の判別結果となる確率よりも高く設定されており、前記第１判別手段の判別結果が前記第２の判別結果となったことに基づいて実行される前記特典遊技の種別として、前記第１方向へと遊技球を発射し続けるよりも、前記第２方向へと遊技球を発射し続けた方が前記払出手段によって払い出される賞球の数が多くなり易い第１特典遊技と、前記第１方向へと遊技球を発射し続けることで、前記第１特典遊技において前記第１方向へと遊技球を発射し続けた場合よりも前記払出手段によって払い出される賞球の数が多くなり易い第２特典遊技と、が少なくとも設けられている。
【手続補正７】
【補正対象書類名】明細書
【補正対象項目名】１２７５
【補正方法】変更
【補正の内容】
【１２７５】
１０                      パチンコ機（遊技機）
６５ａ                    特定入賞口（特典入球手段）
６５ｆ１                  開閉扉（可変手段）
１１１ 払出制御装置（第３実施形態における払出手段）
１１２                    発射制御装置（第３実施形態における発射手段）
２０３ｂ                  第２特別図柄保留球格納エリア（第３実施形態における判別情報記憶手段）
６４０ 第２入球口（第３実施形態における入球手段）
６５７ 右可変入賞装置（第３実施形態における可変手段）
６５７ａ 右特定入賞口（第３実施形態における特典入球手段）
Ｓ２２０ 第３実施形態における特典遊技実行手段
Ｓ３０５                  第３施形態における第１判別手段、第２判別手段
Ｓ３０７，Ｓ３０９        第３施形態における動的表示期間決定手段
Ｓ３１０                  第３施形態における動的表示手段
Ｓ４１２ 第３施形態における判別情報取得手段
Ｓ１００４                第３施形態における第２可変制御手段
Ｓ１００５                第３施形態における第１可変制御手段
Ｓ１１１０                遊技状態設定手段
Ｓ１３０２ 第３実施形態における遊技状態設定手段